(57)【要約】  一実施形態において、装置は、ゲート、ドレイン及びソースを有するトランジスタを備える。交流（ＡＣ）電源信号を受け取るように、ドレインが接続される。出力ノードとトランジスタのゲートとの間には、構成要素が接続される。構成要素は、出力ノードからの出力電圧を接続して、ＡＣ電源信号の第１部分の間に、ゲート−ソースキャパシタを充電する。トランジスタは、ＡＣ電源信号の第２部分の間にＯＮとなるように構成され、電荷を出力ノードに送り、電荷は、電源回路の電源として使用される。【選択図】図２
2013516154.tif 000002
【特許請求の範囲】
【請求項１】
ゲート、ドレイン及びソースを有し、前記ドレインが交流（ＡＣ）電源信号を受け取るべく接続されているトランジスタと、
前記トランジスタの前記ゲートと、出力ノードとの間に接続される構成要素であって、前記ＡＣ電源信号の第１部分の間に、ゲート−ソースキャパシタを充電するべく、前記出力ノードからの出力電圧を接続する構成要素と
を備え、
前記トランジスタは、前記ＡＣ電源信号の第２部分の間に前記出力ノードに電荷を送信するべくＯＮとされ、前記電荷は、電源の回路に電力を提供するのに使用される装置。
【請求項２】
前記構成要素は、第１構成要素を有し、
前記装置は更に、前記トランジスタの前記ソース及び前記出力ノードに接続される第２構成要素を備え、
前記第２構成要素は、前記トランジスタがＯＮとされるまで、前記トランジスタの前記ソースが前記ＡＣ電源信号を追従するようにする請求項１に記載の装置。
【請求項３】
前記第１構成要素は、第１ダイオードを有し、前記第２構成要素は、第２ダイオードを有する請求項２に記載の装置。
【請求項４】
前記トランジスタは、前記ＡＣ電源信号の第３部分においてＯＦＦとされる請求項１に記載の装置。
【請求項５】
前記第２部分は、前記ゲート−ソースキャパシタが充電される第１期間を有し、
前記第３部分は、前記ゲート−ソースキャパシタが放電される第２期間を有する請求項４に記載の装置。
【請求項６】
前記ゲート−ソースキャパシタを放電するべく制御されるスイッチを更に備える請求項１に記載の装置。
【請求項７】
前記ＡＣ電源信号が閾値に達する場合に、前記ゲート−ソースキャパシタを放電するべく前記スイッチを制御する導通角回路を更に備える請求項６に記載の装置。
【請求項８】
前記出力電圧が閾値に達する場合に、前記ゲート−ソースキャパシタの放電状態を維持するべく前記スイッチを制御する出力調整回路を更に備える請求項６に記載の装置。
【請求項９】
前記回路は、第１回路を含み、
前記装置は更に、前記ＡＣ電源信号を前記トランジスタの前記ゲートに接続し、前記ゲート−ソースキャパシタを充電する第２回路を備える請求項１に記載の装置。
【請求項１０】
前記出力ノードに接続された外部キャパシタが電荷を有さない場合、前記出力電圧が閾値に達するまで、前記第２回路は、前記ＡＣ電源信号を前記トランジスタの前記ゲートに接続する請求項９に記載の装置。
【請求項１１】
前記第２回路は、
前記ＡＣ電源信号に接続される抵抗器と、
第２スイッチと、
前記抵抗器をグランドに接続するべく前記第２スイッチを制御する第２スイッチ制御回路とを含む請求項９に記載の装置。
【請求項１２】
前記装置は更に、３つのピンを備え、
前記３つのピンは、
前記ＡＣ電源信号に接続される第１ピンと、
前記出力ノードに接続される第２ピンと、
グランドに接続される第３ピンとを含む請求項１に記載の装置。
【請求項１３】
請求項１に記載の装置を備えるシステムであって、前記システムは、
前記トランジスタがＯＮとなると充電されるキャパシタを備えるシステム。
【請求項１４】
前記回路が、前記キャパシタに電荷を供給するべく、前記電源からの補助出力電圧を使用する力率修正回路を含み、
前記補助出力電圧が前記キャパシタに前記電荷を供給するレベルである場合には、前記トランジスタは前記電荷を前記出力ノードに供給しない請求項１３に記載のシステム。
【請求項１５】
ＡＣ電源信号をトランジスタに接続する段階と、
ゲート−ソースキャパシタを充電させるべく、出力ノードからの出力電圧を前記トランジスタのゲートに接続する段階と、
前記出力ノードに電荷を送り、前記電荷が使用されて電源の回路に電力が供給されるように、前記トランジスタをＯＮにする段階と
を備える方法。
【請求項１６】
前記ＡＣ電源信号が閾値に達する場合には、前記ゲート−ソースキャパシタを放電させる段階を更に備える請求項１５に記載の方法。
【請求項１７】
前記出力電圧が閾値に達する場合には、前記トランジスタをＯＦＦにする段階を備える請求項１５に記載の方法。
【請求項１８】
前記ゲート−ソースキャパシタを充電するべく、前記ＡＣ電源信号を前記トランジスタの前記ゲートに接続する段階を更に備える請求項１５に記載の方法。
【請求項１９】
前記出力ノードに接続された外部キャパシタが電荷を有さない場合には、前記出力電圧が閾値に達するまで、前記ＡＣ電源信号は前記トランジスタの前記ゲートに接続される請求項１８に記載の方法。
【請求項２０】
前記回路は、力率修正回路を含み、
前記電荷は、キャパシタを充電させるべく前記出力ノードに供給され、
前記キャパシタは、前記力率修正回路に電荷を供給する請求項１５に記載の方法。
【発明の詳細な説明】
【技術分野】
【０００１】
特定の実施形態は、概して、電源に関する。
【０００２】
［優先権情報］
本出願は、２００９年１２月２３日出願の米国仮出願第61/289,897号、"High-Input Voltage SMPS Start-Up Supply（高入力電圧ＳＭＰＳスタートアップ電源）"の優先権を主張するものであり、前記出願の内容は、参照により本明細書に組み込まれる。
【背景技術】
【０００３】
本明細書にそうでないと示されていない限り、本章において記載される方法は、本願特許請求の範囲に対する従来技術ではなく、この章に記載することによって従来技術と認めているわけではない。
【０００４】
スイッチモード電源（ＳＭＰＳ）は、出力電圧を提供するべく、入力電圧を制御する。変換及び制御に、力率改善（ＰＦＣ）コントローラが使用されている。典型的なＰＦＣコントローラは、動作するのに最小限の電源電圧を必要とする。動作している間、ＰＦＣコントローラが必要とする動作電圧は、ＳＭＰＳの出力電圧を使用して供給される。しかしながら、ＳＭＰＳの電源投入の間又はデバイスがスタンバイモード（例えば、ＳＭＰＳの出力電圧がダウンしている）である時などには、ＰＦＣコントローラに入力電圧が必要となる。
【０００５】
起動時及びデバイスがスタンバイモードの時には、スタートアップ電源を使用して、ＰＦＣコントローラに動作電圧を供給することが考えられる。動作電圧は、ＳＭＰＳの電源が投入されるまで供給される。ＳＭＰＳの電源が投入された後は、スタートアップ電源は、再び必要となるまで動作停止する。
【発明の概要】
【０００６】
一実施形態において、装置は、ゲート、ドレイン及びソースを有するトランジスタを備える。交流（ＡＣ）電源信号を受け取るように、ドレインが接続される。出力ノードとトランジスタのゲートとの間には、構成要素が接続される。構成要素は、出力ノードからの出力電圧を接続して、ＡＣ電源信号の第１部分の間に、ゲート−ソースキャパシタを充電する。トランジスタは、ＡＣ電源信号の第２部分の間にＯＮとなるように構成され、電荷を出力ノードに送り、電荷は、電源回路の電源として使用される。
【０００７】
一実施形態において、構成要素は、第１構成要素を含み、装置は更に、トランジスタのソース及び出力ノードに接続された第２構成要素を含む。第２構成要素によって、トランジスタのソースは、トランジスタがＯＮとなるまで、ＡＣ電源信号を追従するように構成させる。
【０００８】
一実施形態において、ゲート−ソースキャパシタを放電するようにスイッチを制御される。
【０００９】
一実施形態において、システムは、トランジスタがＯＮとされると充電されるキャパシタを備える。
【００１０】
一実施形態において、方法は、ＡＣ電源信号をトランジスタに接続する段階と、ゲート−ソースキャパシタを充電させるべく、出力ノードからの出力電圧をトランジスタのゲートに接続する段階と、出力ノードに電荷を送り、電荷が使用されて電源の回路に電力が供給されるように、トランジスタをＯＮにする段階とを備える。
【００１１】
以下に記載する詳細な説明及び添付の図面は、本発明の本質及び利点のより詳細な理解を提供する。
【図面の簡単な説明】
【００１２】
【図１】一実施形態に係るスイッチモード電源（ＳＭＰＳ）の一例を示した図である。
【図２】一実施形態に係るスタートアップ電源をより詳細に示した図である。
【図３】一実施形態に係るスタートアップ電源の波形を示した図である。
【図４】一実施形態に係るＡＣ電源からゲート‐ソースキャパシタＣｇｓの経路を提供するスタートアップ電源の一例を示した図である。
【図５】一実施形態に係るスタートアップ電源を動作する方法を単純化して示したフローチャートである。
【図６】一実施形態に係る起動補助を提供する方法を単純化して示したフローチャートである。
【発明を実施するための形態】
【００１３】
以下、スタートアップ電源に関する技術について説明する。以下の記載では、説明の目的から、本発明の実施形態の完全な理解を提供するべく、数多くの例及び具体的な詳細事項が記載される。特許請求の範囲で規定される特定の実施形態は、これら例に記載される特徴の一部又は全て、若しくは、以下に記載されるその他の特徴との組み合わせを含んでもよく、また、以下に記載される特徴及び原理の改良及び均等物を含んでもよい。
【００１４】
図１には、一実施形態に係るスイッチモード電源（ＳＭＰＳ）１００の一例が示されている。スタートアップ電源１０２、力率改善コントローラ１０４、交流（ＡＣ）電源回路１０６が設けられている。スイッチモード電源について説明されるが、特定の実施形態は、スタートアップ電源１０２を必要とするその他の電源構成に対して使用されてもよい。
【００１５】
ＡＣ電源回路１０６は、スタートアップ電源１０２のノードＶＡＣにＡＣ信号を供給する。以下に詳細に説明するように、半分整流された信号が、ノードＶＡＣに供給される。
【００１６】
スタートアップ電源１０２は、ＡＣ電源信号を受け取り、ノードＶＯＵＴに出力信号を供給してキャパシタＣＬを充電する。キャパシタＣＬは充電されて、ＳＭＰＳ１００が十分な補助電圧を供給しない場合に、ＰＦＣコントローラ１０４に十分な電圧を供給する。補助電圧は、ＳＭＰＳ１００の出力電圧から供給されてもよく、スタートアップ電源１０２の出力電圧Ｖｏｕｔとは異なる。ＳＭＰＳ１００の補助電圧は、ＳＭＰＳ１００によって起動されるコンピュータデバイスに供給される電圧であってもよい。スタートアップ電源１０２からの出力電圧及び補助電圧は、直流（ＤＣ）電圧であってもよい。
【００１７】
スタートアップ電源１０２は、必要な電荷をキャパシタＣＬに供給してもよく、キャパシタＣＬは、電荷をＰＦＣコントローラ１０４に供給する。電荷は、コンピュータデバイスの電源投入の間及びコンピュータデバイスがスタンバイモードの間に供給されてもよい。コンピュータデバイスが起動される時又はスタンバイモードである時、補助電圧は停止した状態となる。
【００１８】
ＳＭＰＳ１００が起動され十分な補助電圧を供給すると、補助電圧が使用されて電力がＰＦＣコントローラ１０４に供給される。この時点で、スタートアップ電源１０２は必要でなくなる。したがって、スタートアップ電源１０２は、ＯＦＦ状態とされ（例えば、スタートアップ電源１０２内の（図示しない）トランジスタがＯＦＦにされる）、スタートアップ電源１０２は、電荷をキャパシタＣＬに供給しない。コンピュータデバイスの電源が落とされた後に再起動される、又は、コンピュータデバイスがスタンバイモードの後に再起動されるといったような、スタートアップ電源１０２が再び必要とされる時まで、この状態が継続する。
【００１９】
スタートアップ電源１０２は、ノードＶＡＣのピン、ノードＶＯＵＴのピン及びグランド（ＧＮＤ）のピンの３つのピンを含む集積回路（ＩＣ）チップに内蔵されてもよい。ピンを３つのみ使用することにより、チップのピンの数を少なくすることができる。また、以下に詳細に説明するように、スタートアップ電源１０２におけるトランジスタ（図示せず）のゲート−ソースキャパシタを充電するのに必要な電圧を供給するのに、ノードＶＯＵＴからの電圧が使用される。
【００２０】
図２には、一実施形態に係るスタートアップ電源１０２のより詳細な例が示されている。ＡＣ電源回路１０６は、ＡＣ電源２０２及びブリッジ整流器２０４を有する。ＡＣ電源２０２は、２２０ボルト（Ｖ）の二乗平均平方根（ＲＭＳ）信号のようなＡＣ信号を提供してもよい。ブリッジ整流器２０４は、ダイオードＤ１、Ｄ２、Ｄ３及びＤ４を含む。ブリッジ整流器２０４は、半波整流器であってもよく、ＡＣ電源信号を入力として、ＡＣ電源信号の半分である負の部分をブロックしてもよい。この場合、ＡＣ電源信号の残りの半分である正の部分が、スタートアップ電源１０２のノードＶＡＣに供給される。
【００２１】
トランジスタＱ１は、ノードＶＡＣから整流されたＡＣ電源信号を受け取り、ノードＶＯＵＴに出力電圧を供給する。トランジスタＱ１は、ノードＶＡＣと接続されたドレインを有する。また、トランジスタＱ１の本体は、トランジスタＱ１のソースと接続され、ダイオードＤ７は、この本体を介して、トランジスタＱ１のドレインに接続される。トランジスタＱ１のゲート−ソース間の電気容量を表すゲートーソースキャパシタＣｇｓが図示されている。
【００２２】
ダイオードＤ５は、ソースを出力ノードＶＯＵＴに接続する。また、出力ノードＶＯＵＴは、ダイオードＤ６を介して、トランジスタＱ１のゲートに接続される。特定の実施形態は、ＡＣ電源信号の少なくとも一部の間に、ゲート−ソースキャパシタＣｇｓを必要な駆動電圧にまで充電するのに、出力電圧ＶＯＵＴを使用する。例えば、以下に詳細に説明されるように、ゲート−ソースキャパシタＣｇｓは、ＡＣ電源信号が負の間に、充電される。これにより、導通が可能であるがＡＣ電圧がキャパシタＣＬの充電を開始するのに十分でない段階で、トランジスタＱ１をＯＮとすることができる。このＯＮ時間は、ＡＣ電源信号のサイクルのうちのトランジスタＱ１が導通する期間の部分である、導通角によって決まる。
【００２３】
スタートアップ電源１０２の動作を、図２及び図３を参照して以下に説明する。図３には、一実施形態に係るＳＭＰＳ１００の波形が示されている。グラフ３０２はＡＣ電源信号を示し、グラフ３０４は整流されたＡＣ電源信号を示し、グラフ３０６は、トランジスタＱ１のソースにおける電圧を示し、グラフ３０８は、トランジスタＱ１のゲートにおける電圧を示している。
【００２４】
ＡＣ電源信号の負の半サイクルの間は、トランジスタＱ１のドレインは、ブリッジ整流器２０４のキャパシタＣＢにおける負荷に応じて、期間の一部又は期間全体の間、グランド（接地電位）以下の電位に保たれる（例えば、ダイオードＤ７を介したダイオードドロップにより）。
【００２５】
ノードＶＡＣにおける電圧がゼロの場合、ゲート−ソースキャパシタＣｇｓは、ダイオードＤ６を介して出力電圧へと充電される。例えば、出力電圧は、ダイオードＤ６をＯＮとし、キャパシタＣｇｓが充電される。図では、ＡＣ電源信号が負の時である点３１０に充電点が示されている。
【００２６】
ＡＣ電源信号の正のサイクルが開始すると、ノードＶＡＣにおけるＶＡＣ電圧は、ゼロＶを上回って増加する。ダイオードＤ５が設けられていることから、Ｑ１のソース（ノードＶＳ）も、ノードＶＡＣにおけるＶＡＣ電圧に追従する。例えば、トランジスタＱ１のソースがダイオードＤ５を順方向にバイアスするのに十分となるまで、ダイオードＤ５は、逆方向にバイアスされていてもよい。トランジスタＱ１が導通しキャパシタＣＬの充電を開始すると、トランジスタＱ１のソースは、電圧ＶＳが電圧ＶＯＵＴに等しくなるまで（ダイオードＤ５によるダイオードドロップは、説明を目的として無視する）、ＶＡＣ電圧を追従する。トランジスタＱ１のソースがゼロ以上の電圧になる場合であっても、トランジスタＱ１のゲートからゲート−ソースキャパシタＣｇｓを放電する経路が存在しないことから、ゲート−ソースキャパシタＣｇｓの電圧は変化しない。したがって、トランジスタＱ１のゲートにおける電圧は、トランジスタＱ１を導通させるのに十分な起動力を提供し続ける。
【００２７】
トランジスタＱ１は、ＡＣ電源信号の特定の位相（導通角に依存する）を導通させる。導通角が終了すると、トランジスタＱ１はＯＦＦとなり、キャパシタＣＬの充電を終了する。導通角は、効率を向上させるのに使用される。例えば、ＶＡＣ電圧が小さいほど、効率は良くなる。したがって、図３に示すように、キャパシタＣｇｓは放電されて、導通角に達するとトランジスタＱ１がＯＦＦとなる。この時、キャパシタＣＬは、スタートアップ電源１０２によって充電されない。スイッチＳ１は閉じた状態であってもよく、ゲート−ソースキャパシタＣｇｓを放電させる経路を提供する。ゲート−ソースキャパシタＣｇｓの放電について、以下に詳細に説明する。出力電圧ＶＯＵＴを好適に変更した後に、ＡＣ電源信号サイクルの残りの部分の間、トランジスタＱ１をＯＦＦとすることにより、充電プロセスにおける高い電力効率を達成することができる。
【００２８】
ＡＣ電源信号が負であり、ゲート−ソースキャパシタＣｇｓが充電されている時は、上記のプロセスが継続する。そして、電圧ＶＳが電圧ＶＯＵＴに等しくなると、トランジスタＱ１がＯＮとなりキャパシタＣＬが充電される。
【００２９】
上記したように、キャパシタＣＬの電荷が使用されて、ＰＦＣコントローラ１０４に電圧が供給される。ＳＭＰＳ１００が電源投入されて、ＳＭＰＳ１００によって十分な補助電圧がＰＦＣコントローラ１０４に供給可能となるまで、上記のプロセスが継続されるそして、補助電圧は、キャパシタＣＬを充電するのに使用される。この時、起動充電を提供するのに再び必要とされるまで、トランジスタＱ１はＯＦＦとなる。
【００３０】
図２に戻り、出力調整及び導通角調整について、以下に詳細に説明する。出力電圧調整は、抵抗器Ｒ１、抵抗器Ｒ２及び比較器ＣＯＭＰ１によって提供されてもよい。また、導通角調整は、抵抗器Ｒ３、抵抗器Ｒ４及び比較器ＣＯＭＰ２によって提供されてもよい。
【００３１】
出力調整は、いつスイッチＳ１を制御してトランジスタＱ１をオフにするかを決定するのに使用される。この時、ＳＭＰＳ１００は、補助電圧を提供して、ＰＦＣコントローラ１０４の電源を投入することが可能であってもよい。一実施形態において、比較器ＣＯＭＰ１の正端子へ入力される電圧が、基準電圧ＶＲＥＦと比較した一定レベルに達すると、スイッチＳ１が閉じられるように制御される。この場合、トランジスタＱ１の導通を可能とするべく、ゲート−ソースキャパシタＣｇｓを充電することはできない。例えば、起動時に、電圧ＶＯＵＴは、比較器ＣＯＭＰ１への入力を（例えば、抵抗器Ｒ１及びＲ２による抵抗分割回路を介して）基準電圧ＶＲＥＦを下回らせる電圧以下であってもよい。ＳＭＰＳ１００が補助電圧を供給できる場合には、電圧ＶＯＵＴは、比較器ＣＯＭＰ１への入力が基準電圧ＶＲＥＦを上回るようなレベルとなる。そして、比較器ＣＯＭＰ１は、論理値Ｈｉｇｈ信号を出力する。論理ゲート（例えば、Ｏｒゲート）２０６は、論理値Ｈｉｇｈ信号をレベルシフタ２０８に出力する。レベルシフタ２０８を使用して、電圧レベルをトランジスタ（図示せず）をＯＮするレベルにシフトさせて、スイッチＳ１を閉じるためのスイッチとして機能させてもよい。
【００３２】
導通角調整では、比較器ＣＯＭＰ２の正の端子に入力される電圧が、基準電圧ＶＲＥＦと比較した一定レベルに達すると、キャパシタＣｇｓが放電されるようにスイッチＳ１が制御される。例えば、ＶＡＣ電圧が一定のレベルに達すると、スイッチＳ１が閉じられて、導通角に従ってゲート−ソースキャパシタＣｇｓが放電される。ＶＡＣ電圧は、抵抗器Ｒ３及び抵抗器Ｒ４の抵抗分割回路によって分割される。抵抗分割回路からの比較器ＣＯＭＰ２への入力信号が基準電圧ＶＲＥＦを超えると、比較器ＣＯＭＰ２は、論理値Ｈｉｇｈ信号を出力する。論理ゲート２０６は、論理値Ｈｉｇｈ信号をレベルシフタ２０８に出力する。一例では、比較器ＣＯＭＰ２からの出力は、この時点において論理値Ｌｏｗレベルであってもよい（例えば、電圧ＶＯＵＴが起動の間に所望のレベルに達していないために、電圧ＶＯＵＴが基準電圧ＶＲＥＦよりも低い場合）。この場合、レベルシフタ２０８は、電圧レベルを、トランジスタ（図示せず）をＯＮとしてスイッチＳ１を閉じるような電圧レベルにシフトする。
【００３３】
ＶＡＣ電圧が一定のレベルを下回る場合には、比較器ＣＯＭＰ１に入力される信号は、基準信号ＶＲＥＦを下回る。比較器ＣＯＭＰ２は、論理値Ｌｏｗレベルを出力して、トランジスタ（図示せず）をＯＦＦにし、スイッチＳ１を開放する。導通角に従ってスイッチＳ１が開閉され、上記のプロセスが継続する。
【００３４】
ＳＭＰＳ１００の電力投入の前のようなある時点で、キャパシタは放電される又は電荷を有さない。したがって、ゲート−ソースキャパシタＣｇｓを充電するのに出力電圧ＶＯＵＴを使用することができない。したがって、ゲート−ソースキャパシタＣｇｓを充電するのに、スタートアップ補助が使用される。図４には、一実施形態に係る、ゲート−ソースキャパシタＣｇｓを充電する経路を提供するスタートアップ電源１０２の一例が示されている。ＶＡＣ電圧を使用して、ゲート−ソースキャパシタＣｇｓが充電される。図２の抵抗器Ｒ３は、抵抗器Ｒ３ａ、Ｒ３ｂ及びＲ３ｃへと変更されてもよい。これにより、ノードＶＡＣからのゲート−ソースキャパシタＣｇｓの充電経路が提供される。例えば、ゲート−ソースキャパシタＣｇｓを充電するための経路は、レジスタＲ３ｃ及びダイオードＤ８を介して提供される。
【００３５】
キャパシタＣＬが最初に完全に充電される場合には、この経路は必要ない。むしろ、上記したように、出力電圧ＶＯＵＴを使用して、ゲート−ソースキャパシタＣｇｓが充電される。そこで、ゲート−ソースキャパシタＣｇｓを充電するための経路を、スイッチＳ２を使用して接続を切り離す。例えば、電圧ＶＯＵＴが一定のレベルに達すると、ＣＯＭＰ１の出力がＨｉｇｈとなり、ラッチ４０２を使用してスイッチＳ２が制御される。例えば、スイッチＳ２が閉じられると、抵抗器Ｒ３ｃがグランドに接続される。この時、抵抗器Ｒ３ａ、Ｒ３ｂ、Ｒ３ｃ及びＲ４は共に、導通角を決定する。また、ダイオードＤ８が、抵抗器Ｒ３ｃを介して出力電圧から電荷が流れ出すのを防ぐ。
【００３６】
図５には、一実施形態に係るスタートアップ電源１０２を動作させる方法を単純化して説明するフローチャート５００が示されている。５０２において、ノードＶＯＵＴからの出力電圧は、トランジスタＱ１のゲートに接続されて、ゲート−ソースキャパシタＣｇｓが充電される。５０４において、トランジスタＱ１がＯｎとなり、キャパシタＣＬが充電される。５０６において、導通角の終了に達すると、ゲート−ソースキャパシタＣｇｓが放電される。
【００３７】
図６には、一実施形態に係る起動補助を提供する方法を単純化して説明したフローチャート６００が示されている。６０２において、ＶＡＣ電圧が、トランジスタＱ１のゲートに接続されている。６０４において、ゲート−ソースキャパシタＣｇｓが、ＶＡＣ電圧によって充電される。６０６において、キャパシタＣＬが初めて完全に充電されると、スイッチＳ２が閉じられる。
【００３８】
以上のように、特定の実施形態では、ゲート−ソースキャパシタＣｇｓを充電するのにオフチップの第２整流信号を使用しないことから、高い電力損失を回避することができるスタートアップ電源が提供される。ゲート−ソースキャパシタＣｇｓを充電するのに、出力電圧ＶＯＵＴが使用される。これにより、トランジスタＱ１のゲートと、ゲート−ソースキャパシタＣｇｓを充電するべく第２整流信号を接続するのに必要なピンとの間に、更なる抵抗器を接続する必要がない。また、これにより電力損失を低減させ、ＩＣチップのピンの数も減らすことができる。また、ダイオードＤ５をチップ上に配置することにより、ＳＭＰＳ１００を製造するのに必要な部品構成表（ＢＯＭ）を減らすことができる。
【００３９】
本明細書で使用されている「１の（ａ、ａｎ、ｔｈｅ）」という言葉は、文中に明確にそれが１つのみであると示されていない限り、複数を含むことを意味している。また、本明細書及び添付の特許請求の範囲で使用されている「〜の内に（ｉｎ）」という言葉は、特に明記されていない限り、「〜の中に（ｉｎ）」及び「〜上に（ｏｎ）」という意味を含む。
【００４０】
上記の説明では、本発明がどのように実装されるかの側面の例と共に、本発明の様々な実施形態が例示された。上記の例及び実施形態は、唯一の実施形態であると考えられるべきではなく、添付の特許請求の範囲によって規定される本発明の利点及び柔軟性を例示していると捉えられるべきである。上記の開示及び添付の特許請求の範囲に基づいて、特許請求の範囲に規定される本発明の範囲内において、その他の配置、実施形態、実装及び均等物を採用することができる。
【図１】
2013516154.tif 000003
【図２】
2013516154.tif 000004
【図３】
2013516154.tif 000005
【図４】
2013516154.tif 000006
【図５】
2013516154.tif 000007
【図６】
2013516154.tif 000008
【国際調査報告】
2013516154.tif 000009